(57)【要約】【課題】より少ないボタンを用いて携帯型記憶装置に画像を保存できる電子黒板を提供する。【解決手段】電子黒板は、画像を担持する筆記部と、筆記部に光を照射する発光部と、筆記部から画像を読み取る読取部と、読取った画像から印字データを生成する画像処理部と、画像形成装置と接続するプリンタインターフェースと、印字又は携帯型記憶装置への画像の保存を指示するためのボタンと、携帯型記憶装置の装着ポートと、携帯型記憶装置が装着ポートに装着された場合には、ボタンの押下によって読取った画像をカラーにて携帯型記憶装置に保存し、携帯型記憶装置が装着ポートに装着されていない場合には、ボタンの押下によって読取った画像をモノクロにて画像形成装置によって画像形成する画像処理制御手段と、を備える。【選択図】図４
2014171027.tif 000002
【特許請求の範囲】
【請求項１】
画像を担持する筆記部と、
前記筆記部に光を照射する発光部と、
前記筆記部から前記画像を読み取る読取部と、
読取った前記画像から印字データを生成する画像処理部と、
画像形成装置と接続するプリンタインターフェースと、
印字又は携帯型記憶装置への画像の保存を指示するためのボタンと、
前記携帯型記憶装置の装着ポートと、
前記携帯型記憶装置が前記装着ポートに装着された場合には、前記ボタンの押下によって読取った画像をカラーにて前記携帯型記憶装置に保存し、前記携帯型記憶装置が装着ポートに装着されていない場合には、前記ボタンの押下によって読取った画像をモノクロにて前記画像形成装置によって画像形成する画像処理制御手段と、
を備える電子黒板。
【請求項２】
前記携帯型記憶装置の前記装着ポートがＵＳＢポートである請求項１記載の電子黒板。
【請求項３】
前記携帯型記憶装置は、
前記画像の印字データをカラーにて保存する請求項２記載の電子黒板。
【請求項４】
前記携帯型記憶装置は、
前記画像の圧縮された画像データをカラーにて保存する請求項２記載の電子黒板。
【請求項５】
前記筆記部は、
無端状の幕体である請求項２記載の電子黒板。
【発明の詳細な説明】
【技術分野】
【０００１】
本発明の実施形態は、電子黒板に関する。
【背景技術】
【０００２】
ホワイトボード上にマーカーペンなどにより筆記された画像を読み込み、プリンタによって画像形成するいわゆる電子黒板には、カラー印刷に対応し、かつＵＳＢメモリなどの携帯型記憶装置に読み込んだ画像を保存できる機種がある。
【０００３】
このような機種においては、多くの機能が利用できる反面、コントロールパネルに多くのボタンが必要となる。例えば、電子黒板は電源ボタンのほか、カラー／モノクロの印刷切り替えボタン、プリンタへの印刷指示ボタン、ＵＳＢメモリへの保存指示ボタンなどを有している。
【０００４】
このように、多くのボタンを設置することはコスト増、コントロールパネルの大型化を招き、ユーザにとってもどのボタンを押したらよいか分からず、操作性が悪いものとなる。
【先行技術文献】
【特許文献】
【０００５】
【特許文献１】特開２００８−１３１４９９号公報
【発明の概要】
【発明が解決しようとする課題】
【０００６】
従って、より少ないボタンを用いて携帯型記憶装置に画像を保存できる電子黒板が求められている。
【課題を解決するための手段】
【０００７】
上記の課題を解決するために、本発明の一実施形態は、画像を担持する筆記部と、筆記部に光を照射する発光部と、筆記部から画像を読み取る読取部と、読取った画像から印字データを生成する画像処理部と、画像形成装置と接続するプリンタインターフェースと、印字又は携帯型記憶装置への画像の保存を指示するためのボタンと、携帯型記憶装置の装着ポートと、携帯型記憶装置が装着ポートに装着された場合には、ボタンの押下によって読取った画像をカラーにて携帯型記憶装置に保存し、携帯型記憶装置が装着ポートに装着されていない場合には、ボタンの押下によって読取った画像をモノクロにて画像形成装置によって画像形成する画像処理制御手段と、を備える電子黒板を提供する。
【図面の簡単な説明】
【０００８】
【図１】電子黒板の外観斜視図である。
【図２】コントロールパネルの例を示す図である。
【図３】電子黒板の構成を示すブロック図である。
【図４】電子黒板の動作を示すフローチャートである。
【発明を実施するための形態】
【０００９】
以下、電子黒板の一実施形態について、図面を用いて詳細に説明する。
【００１０】
本実施形態の電子黒板は、画像を担持する筆記部と、筆記部に光を照射する発光部と、筆記部から画像を読み取る読取部と、読取った画像から印字データを生成する画像処理部と、画像形成装置と接続するプリンタインターフェースと、印字又は携帯型記憶装置への画像の保存を指示するためのボタンと、携帯型記憶装置の装着ポートと、携帯型記憶装置が装着ポートに装着された場合には、ボタンの押下によって読取った画像をカラーにて携帯型記憶装置に保存し、携帯型記憶装置が装着ポートに装着されていない場合には、ボタンの押下によって読取った画像をモノクロにて画像形成装置によって画像形成する画像処理制御手段と、を備える。
【００１１】
図１は、本実施形態の電子黒板１の外観斜視図である。図１に示すように、電子黒板１は、ホワイトボード又は、可撓制材料によって形成される筆記用の幕体を含む筆記部１２と、筆記部１２を支持し、入出力部を備えるコントロールパネル１３を有する本体部１１と、プリンタ１４などの画像形成装置と、を備える。
【００１２】
以下、筆記部１２が幕体である場合について説明する。この筆記部１２は無端状の帯をなし、一部が筆記者の方向に露出し、残部は本体部１１の内部を周回する。
【００１３】
本体部１１はさらに、内部に制御部３０１と、筆記部１２を周回させる駆動部３１０と、筆記部１２に光を照射する発光部である蛍光灯３０８と、筆記部１２から画像を読み取る読取部であるＣＣＤ（Ｃｈａｒｇｅ  Ｃｏｕｐｌｅｄ  Ｄｅｖｉｃｅ）３０６と、読取った画像から印字データを生成する画像処理部３０５と、プリンタ１４と接続するプリンタインターフェース（以下、インターフェースをＩ／Ｆという。）３１１と、を備える。
【００１４】
図２は、コントロールパネル１３の例を示す図である。図２に示すように、コントロールパネル１３は、文字や画像を出力する表示部１３Ａと、コピー枚数を入力するための枚数ボタン１３Ｂと、駆動部３１０を駆動させて筆記部１２を周回させるフィードボタン１３Ｃと、印字又は携帯型記憶装置への画像の保存を指示するためのコピーボタン１３Ｄと、携帯型記憶装置の装着ポートであるＵＳＢ（Ｕｎｉｖｅｒｓａｌ  Ｓｅｒｉａｌ  Ｂｕｓ）ポート１５と、を備える。
【００１５】
図３は、電子黒板１の構成を示すブロック図である。図３に示すように、電子黒板１は、演算装置であるＣＰＵ（Ｃｅｎｔｒａｌ  Ｐｒｏｃｅｓｓｉｎｇ  Ｕｎｉｔ）３０１Ａを備える制御部３０１と、メモリであるＲＯＭ（Ｒｅａｄ  Ｏｌｎｙ  ｍｅｍｏｒｙ）３０２と、ＲＡＭ（Ｒａｎｄｏｍ  Ａｃｃｅｓｓ  Ｍｅｍｏｒｙ）３０３と、ＵＳＢメモリ３２０と通信を行うＵＳＢホストコントローラ３０４と、画像処理部３０５と、ＣＣＤ３０６と、蛍光灯点灯回路３０７と、レンズ３１３を備える蛍光灯３０８と、コントロールパネル１３と、駆動部３１０と、プリンタ１４と接続するプリンタＩ／Ｆ３１１と、を備える。
【００１６】
コントロールパネル１３のコピーボタン１３Ｄが押下されると、制御部３０１は、発光部を点灯させ、駆動部３１０を駆動させて筆記部１２を回転させ、筆記された筆記部１２は順次読取部を通過する。
【００１７】
蛍光灯３０８は、制御部３０１によって制御される蛍光灯点灯回路３０７によって点灯または消灯される。
【００１８】
発光部の光は筆記部１２に照射され、レンズ３１３を通して反射光が集光される。集光された反射光は、読取部であるＣＣＤ３０６に入射する。
【００１９】
ＣＣＤ３０６は入射光を光電変換し、得られた画像信号を画像処理部３０５に出力する。
【００２０】
画像処理部３０５は、入力された画像データに必要な処理を加えたのち、プリンタ１４によって印刷するための印刷データを生成する。電子黒板１は、この印刷データを一時的にＲＡＭ３０３に格納する。
【００２１】
印刷データはプリンタＩ／Ｆを介してプリンタ１４に送信され、印字が開始される。
【００２２】
ＵＳＢポート１５は本体部１１に設置され、制御部３０１と接続するＵＳＢホストコントローラ３０４に接続する。
【００２３】
ＵＳＢホストコントローラ３０４は、ＵＳＢメモリ３２０が装着されたかを判定する。制御部３０１は定期的にＵＳＢホストコントローラ３０４にＵＳＢメモリ３２０の装着の有無を問い合わせる。
【００２４】
本実施形態においては、電子黒板１は携帯型記憶装置が装着ポートに装着されたと判定した場合には、コピーボタン１３Ｄの押下によって読取った画像をカラーにて携帯型記憶装置に保存する。
【００２５】
また、電子黒板１は、携帯型記憶装置が装着ポートに装着されていないと判定した場合には、コピーボタン１３Ｄの押下によって読取った画像をモノクロにてプリンタ１４によって画像形成する。
【００２６】
図４は、電子黒板１の動作を示すフローチャートである。図４に示すように、ステップ４０１において、電子黒板１はコピーボタン１３Ｄが押下されたかを判定する。電子黒板１はコピーボタン１３Ｄが押下されたと判定した場合、ステップ４０２に進み、押下されたと判定しない場合、ステップ４０１に戻る。
【００２７】
ステップ４０２において、電子黒板１はＵＳＢメモリ３２０を検出したかを判定する。電子黒板１はＵＳＢメモリ３２０を検出したと判定した場合、ステップ４０３に進み、検出したと判定しない場合、ステップ４０４に進む。
【００２８】
ステップ４０３において、電子黒板１はモノクロにてプリンタ１４により画像形成し、ステップ４０１に戻る。
【００２９】
ステップ４０４において、電子黒板１はカラーにて印刷データ、または画像データをＵＳＢメモリ３２０に保存する。
【００３０】
ここで、印字データは、ＰＤＦであってもＬＰＤなどのＰｏｓｔＳｃｒｉｐｔファイルであってもよい。また、画像データは、例えば、ＪＰＥＧ、ＧＩＦ、ＴＩＦＦなどの圧縮されたデータであってもよい。
【００３１】
以上述べたように、本実施形態の電子黒板１は、画像を担持する筆記部１２と、筆記部１２に光を照射する発光部と、筆記部１２から画像を読み取る読取部と、読取った画像から印字データを生成する画像処理部３０５と、プリンタ１４と接続するプリンタインターフェース３１１と、印字又は携帯型記憶装置への画像の保存を指示するためのコピーボタン１３Ｄと、携帯型記憶装置の装着ポートと、携帯型記憶装置が装着ポートに装着されたと判定した場合には、コピーボタン１３Ｄの押下によって読取った画像をカラーにて携帯型記憶装置に保存し、携帯型記憶装置が装着ポートに装着されていないと判定した場合には、コピーボタンの押下によって読取った画像をモノクロにてプリンタ１４によって画像形成する画像処理制御手段と、を備える。
【００３２】
従って、より少ないボタンを用いて携帯型記憶装置に画像を保存できるという効果がある。
【００３３】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３４】
１２：筆記部
１３：コントロールパネル
１４：プリンタ
１４：装着ポート
【図１】
2014171027.tif 000003
【図２】
2014171027.tif 000004
【図３】
2014171027.tif 000005
【図４】
2014171027.tif 000006